(57)【要約】【課題】遊技機の背面側に背面体が設置される場合であっても、その背面体を大きく前方に開放することができて遊技機の背面側へのアクセス性を向上させることができると共に、遊技機内部に配置された基板に対する不正行為を有効に防止し得る遊技機を提供すること。【解決手段】このパチンコ機５２は、筐体枠５３と、筐体枠５３の側縁揺動支持位置において揺動支持された機枠と、筐体枠５３の後方に配置され、内側揺動支持位置で筐体枠５３に前面開閉可能に揺動支持される背面板５５と、背面体５５の前面５６側に着脱可能に取り付けられる基板ケース５７とを有し、背面体５５には、係止孔５５ａが形成され、基板ケース５７には、フック部６１が形成され、背面体５５の前面５６側からの操作に基づき、背面体５５への基板ケース５７の取付けが可能とされると共に背面体５５からの基板ケース５７の取外しが不可能とされている。【選択図】図７
2010082251.tif 000002
【特許請求の範囲】
【請求項１】
遊技機の周囲を囲む第１枠体と、
該第１枠体の一側縁における側縁揺動支持位置において前面開閉可能に揺動支持された第２枠体と、
前記第１枠体の後方に配置されて前記遊技機の背面を実質的に閉鎖すると共に、前記側縁揺動支持位置よりも後方であって、かつ、該側縁揺動支持位置よりも前記遊技機の内側の位置を内側揺動支持位置として、前記第１枠体に前面開閉可能に揺動支持される背面体と、
該背面体の前面側に着脱可能に取り付けられる基板ケースと、を有する遊技機であって、
前記背面体には、前記基板ケースを取り付けるための取付け部が形成され、
前記基板ケースには、前記取付け部に該基板ケースを取り付けるための被取付け部が形成され、
前記背面体の前面側からの操作に基づき、該背面体への前記基板ケースの取付けが可能とされると共に該背面体からの前記基板ケースの取外しが不可能とされる遊技機。
【請求項２】
前記背面体へ前記基板ケースを取り付けた状態において、前記取付け部及び前記被取付け部が、該背面体の前面側から見て前記基板ケースにより遮蔽される位置である請求項１に記載の遊技機。
【請求項３】
前記背面体の後面側からの操作に基づき、前記背面体からの前記基板ケースの取外しが可能とされる請求項１又は請求項２に記載の遊技機。
【請求項４】
前記取付け部が係止孔であり、かつ前記被取付け部が該係止孔に係合可能なフック部である請求項１から請求項３のうちいずれか１項に記載の遊技機。
【請求項５】
前記内側揺動支持位置が、前記背面体の前面側かつ側縁近傍に配置されている請求項１から請求項４のうちいずれか１項に記載の遊技機。
【請求項６】
前記第１枠体と開放状態における前記背面体との為す角が所定角度より大きくなるのを不可能又は困難とする角度規制構造を有する請求項１から請求項５のうちいずれか１項に記載の遊技機。
【発明の詳細な説明】
【技術分野】
【０００１】
本発明は、遊技機に係り、特に、遊技機の周囲を囲む筐体枠の背面を実質的に閉鎖する背面体と、筐体枠に対して前面開閉可能に揺動支持された機枠とを有する遊技機に関する。
【背景技術】
【０００２】
パチンコ機等の遊技機では、弾出された遊技媒体（以下、球という。）が遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむことができる。
【０００３】
従来、このようなパチンコ機は筐体枠によって周囲が囲まれ、その筐体枠内部に収容されるように遊技盤が配置されている。そしてその遊技盤は、筐体枠に対して前面開閉可能に揺動支持された機枠に保持されており、その機枠や遊技盤の裏側に様々な球経路や各種機構部品、回路基板等が取り付けられている。
【０００４】
つまり、遊技を構成し演出する重要な部品である球経路、景品球払出装置や入賞球処理装置等の各種機構部品、それら各種機構部品の動作を制御するための払出制御基板、図柄表示装置等の演出動作を制御するための遊技制御基板や図柄制御基板等が、前方を遊技盤や機枠によって、上下方及び左右側方を筐体枠によって覆われるように構成されている。
【０００５】
しかしながら、パチンコ機の後方、すなわち背面側は覆われておらず、上記の重要部品が略剥き出しの状態となっている。したがって、パチンコ機の背面側は不正アクセスに対して無防備であり、ここから重要部品に対して不正が行われる虞があった。
【０００６】
そこで近年、背面側を背面体（以下、背面板という。）によって覆うことにより、背面側からの重要部品に対する不正アクセスを防止可能なパチンコ機も提案されている。これによれば、パチンコ機の背面が実質的に閉鎖されるので、例えば、隣接するパチンコ機どうしの隙間から背面側にピアノ線を挿入して行う不正遊技等も防止することができる（例えば、特許文献１参照。）。
【０００７】
また、背面側を背面板で覆った上で、筐体枠の内部（内壁）に着脱可能に基板及び基板ケースを取り付ける構成も開示されている（例えば、特許文献２参照。）これによれば、メンテナンスの容易化や正面扉への負荷軽減等を図ることができるとされている。
【０００８】
【特許文献１】特開２００４−１０５５７２号公報
【特許文献２】特開２００２−２００２９２号公報
【発明の開示】
【発明が解決しようとする課題】
【０００９】
ところで、遊技機が備えられる一般的な遊技機島の内部には、球の供給施設や紙幣の搬送設備などが配置されており、これらのメンテナンスを行うために筐体枠を介して遊技機裏側へとアクセスする必要がある。
【００１０】
しかしながら、遊技機の背面側を背面板で覆った場合には、背面板の存在によって遊技機の背面にアクセスすることが困難となり、島内部のメンテナンス作業が煩雑になるという問題があった。
【００１１】
また、上記特許文献２に開示の構成によれば、パチンコ機の正面扉を開くとすぐに基板ケースに到達することができ、しかもその基板ケースを筐体枠から簡単に取り外すことができてしまう。そのため、不正行為者が筐体枠から基板ケースごと基板を取り外し、基板に不正な改造を加えたり基板自体を不正な基板に交換してしまう、という不正行為が比較的容易に行われてしまうという問題がある。
【００１２】
パチンコ機内部には、画像制御基板、電源制御基板等、様々な種類の基板が収容されている。その中には、パチンコ機における遊技全体を制御する遊技制御基板（主基板ともいう）もあるが、この主基板に対して不正改造や不正交換が行われてしまうと、不正行為者に不足の利益が供給され、遊技店（パチンコホール）が不測の不利益を被る虞がある。
【００１３】
本発明は、上記の事情に鑑みて為されたもので、遊技機の背面側に背面体が設置される場合であっても、その背面体を大きく前方に開放することができて遊技機の背面側へのアクセス性を向上させることができると共に、遊技機内部に配置された基板に対する不正行為を有効に防止し得る遊技機を提供することを例示的課題とする。
【課題を解決するための手段】
【００１４】
上記の課題を解決するために、本発明の例示的側面としての遊技機は、遊技機の周囲を囲む第１枠体と、第１枠体の一側縁における側縁揺動支持位置において前面開閉可能に揺動支持された第２枠体と、第１枠体の後方に配置されて遊技機の背面を実質的に閉鎖すると共に、側縁揺動支持位置よりも後方であって、かつ、側縁揺動支持位置よりも遊技機の内側の位置を内側揺動支持位置として、第１枠体に前面開閉可能に揺動支持される背面体と、背面体の前面側に着脱可能に取り付けられる基板ケースと、を有する遊技機であって、背面体には、基板ケースを取り付けるための取付け部が形成され、基板ケースには、取付け部に基板ケースを取り付けるための被取付け部が形成され、背面体の前面側からの操作に基づき、背面体への基板ケースの取付けが可能とされると共に背面体からの基板ケースの取外しが不可能とされることを特徴とする。
【００１５】
本発明に係遊技機では、背面体が第１枠体（例えば、筐体枠。）に対して前面開閉可能に揺動支持されるので、背面体を前面方向に開放させることによって、遊技機の背面体よりも更に後方側へのアクセスを容易に行うことができる。このため、遊技機の最背面に配置される背面体により遊技機の背面側からの不正アクセスの抑制と、球の供給施設や紙幣の搬送設備等のメンテナンス性の向上との両立を実現することができる。
【００１６】
背面体の揺動支持位置（内側揺動支持位置）が第２枠体（例えば、機枠。）の揺動支持位置（側縁揺動支持位置）よりも後方に配置されているため、背面体の左右方向（すなわち、遊技機の幅方向。）の寸法を大きくすることができ、結果として背面体の面積を拡大することができて設計上の自由度やスペース効率が増大する。
【００１７】
第２枠体の側縁揺動支持位置が、第２枠体より前方か又は前後方向における第１枠体内に位置する場合において、背面体の内側揺動支持位置が第２枠体の側縁揺動支持位置と一致又はそれより前方にあると、背面体の前方開放の際にその回転軌跡が外方へと大きく膨らみ、第１枠体の内壁と干渉してしまう虞がある。
【００１８】
しかしながら、本発明においては背面体の内側揺動支持位置が第２枠体の側縁揺動支持位置よりも後方に配置されているため、換言すれば、背面体の内側揺動支持位置が実質的に第１枠体よりも後方に配置されているため、背面体の回転軌跡が外方へと大きく膨らまない。したがって、背面体の左右方向寸法を第１枠体の内壁寸法いっぱいまで大きくしても、その開閉時に第１枠体内壁に干渉する虞が殆どない。結果として、背面体の左右方向寸法を大きくしてその面積を拡大しても、開閉動作を円滑に行うことができる。
【００１９】
更に、背面体の内側揺動支持位置を、第２枠体の側縁揺動支持位置よりも遊技機の内側に配設することによって、第２枠体及び背面体の開放時に、背面体を大きく開放することができ、その後方へのアクセス性を一層向上させることができる。
【００２０】
背面体を開放する際には、事前に第２枠体を開放しておく必要がある。その第２枠体の開放時において、背面体の内側揺動支持位置が第２枠体の側縁揺動支持位置よりも外側に配置されている場合には、背面体の開放角度を大きく取ることができない。しかし、本発明によれば、背面体の内側揺動支持位置が第２枠体の側縁揺動支持位置よりも内側に配置されているので、外側に配置されている場合に比較して、第２枠体の開放角度が同じ場合に背面体の開放角度を大きく取ることができる。
【００２１】
結果として、開放時における第２枠体の背面側と背面体の前面側との干渉の可能性を低減することができる。それにより、背面体の開放角度を大きく取ることができてその後方へのアクセス性を向上させたり、第２枠体の後面側（背面側、又は裏面側ともいう。）、背面体の前面側への部品配置やその大きさの自由度を増大させることができる。
【００２２】
特に、第２枠体の背面側や背面体の前面側には、景品球払出装置や入賞球処理装置等の各種機構部品、それら各種機構部品の動作を制御するための主基板（遊技制御基板）、図柄制御基板、電源基板等が設けられることが多い。このため、第２枠体と背面体との開放時の干渉によるこれらの機構部品や制御基板等の破損の可能性を低減することができる。
【００２３】
更に、背面体の揺動支持位置を、第２枠体の揺動支持位置よりも遊技機内側の位置に配設することによって、背面体の可動範囲を第２枠体の可動範囲よりもコンパクトにすることができる。このため、第２枠体が開放した状態における背面体の回動動作を容易にすることができ、島内部のメンテナンス時における背面体の取扱い負担を軽減することが可能となる。
【００２４】
また、背面体に基板ケースを取り付けるための取付け部が形成され、基板ケースには取付け部に取り付けるための被取付け部が形成され、背面体の前面側からの操作に基づき基板ケースの取付けが可能とされている。したがって、基板ケースの背面体前面側への取付けを簡単な手順で行うことができ、例えば遊技機を工場で組み立てる際の組立て性を向上させたり遊技機のメンテナンス性を向上させたりすることができる。
【００２５】
また、背面体の前面側からの操作に基づく基板ケースの背面体からの取外しは不可能とされているので、例えば、遊技機前面側、すなわち通常使用状態において遊技者がいる側から基板ケースを背面体から取り外すことができないようになっている。したがって、パチンコホール等における不正行為者による基板ケースの取外しを防止することができ、基板ケース内の基板への不正行為を防止することができる。
【００２６】
なお、基板ケース内には、例えば主基板、画像制御基板、電源制御基板等の電子基板が配置されており、それらの基板は一般に基板ケース内に封印されている。したがって、基板ケースを背面板に残したまま、基板だけを基板ケースから取り出すことも不可能又は非常に困難とされている。
【００２７】
ここで、遊技媒体とは、例えばパチンコ機等の遊技機においては、その遊技に用いられる球を意味し、遊技装置体とは、その球が流下するための遊技盤等が該当する。また、「前面」とは遊技装置体がパチンコ機等の遊技機に設置された際に、遊技者側に向いた面であり、前方は遊技盤面から遊技者に向かう方向、すなわち遊技盤裏面から表面に向かう方向を意味する。「背面」はその反対に遊技機の裏側の面であり、後方は遊技盤表面から裏面に向かう方向を意味している。左右方向は、遊技者から遊技機を見たときの幅方向における左右を意味する。更に、「内側」とは第１枠体の中央に向かう方向を示している。
【００２８】
背面体へ基板ケースを取り付けた状態において、取付け部及び被取付け部が、背面体の前面側から見て基板ケースにより遮蔽される位置であってもよい。
【００２９】
取付け部及び被取付け部の位置が、背面体に基板ケースを取り付けた状態において前面側から見たときに基板ケースによって遮蔽され、遊技者や不正行為者から視認できない位置とされている。したがって、不正行為者は基板ケースの取付け部の位置を把握することができず、本発明はより一層基板ケースの不正な取外し行為を有効に防止している。
【００３０】
また、基板ケースにより視覚的に遮蔽されるのみならず、取付け部や被取付け部への前面側からの接触も遮蔽されていれば、更に一層不正防止効果を向上させることができる。例えば、基板ケースと背面体の前面とが略密着状態となるように基板ケースが取り付けられれば、基板ケースと背面体前面との隙間が殆どない状態となり、視覚的に遮蔽されるのみならず取付け部等へ不正にアクセスしようとするピアノ線等の異物も遮蔽される。
【００３１】
背面体の後面側からの操作に基づき、背面体からの基板ケースの取外しが可能とされてもよい。
【００３２】
背面体の後面側からの操作に基づき、背面体からの基板ケースの取外しが可能とされているので、基板や背面体のメンテナンス時に、簡単に基板ケースを背面体から取り外すことができる。前面側からの取外しが不可能とされて、前面側からの不正行為が防止されると共に、後面側からの取外しが可能とされてメンテナンス性の向上が図られているので、不正防止と利便性向上が両立している。なお、基板ケースを取り外す際には、ホール員（パチンコホールの店員）等により背面体と筐体枠とのロックが解除されて背面体が前方に開放され、背面対向面側から取外し操作が行われる。
【００３３】
取付け部が係止孔であり、かつ被取付け部が係止孔に係合可能なフック部であってもよい。
【００３４】
フック部と係止孔との係合により、背面体への基板ケースの取付けが行われるので、ドライバーその他の工具を別途必要とすることなく、簡単に取付けを行うことができる。また、フック部を係止孔から解除することによる基板ケースの取外しの際にも、別途工具を必要としないので、メンテナンス作業の煩雑さを解消することができる。
【００３５】
内側揺動支持位置が、背面体の前面側かつ側縁近傍に配置されていてもよい。
【００３６】
背面体の揺動支持位置が前面側に配置されているので、背面体を略９０°に前方開放しても背面体の一部が揺動支持位置より遊技機外側へ突出することがない。したがって、第１枠体のすぐ外側に遊技機島用の柱部材等が設置されている場合でも、それに干渉することなく背面体を大きく開放することができる。
【００３７】
また、背面体の揺動支持位置がその側縁近傍に配置されているので、背面体の前方開放時に実質的に背面体全体が前方へと回転移動し、その一部が後方へと回転移動することがない。したがって、背面体の後方に遊技機島の設置用柱部材等があっても、背面体の開閉動作による干渉を生じることがない。
【００３８】
遊技機が、第１枠体と開放状態における背面体との為す角が所定角度より大きくなるのを不可能又は困難とする角度規制構造を有してもよい。
【００３９】
角度規制構造が、第１枠体と背面体との為す角が所定角度より大きくなるのを不可能又は困難とするので、背面体が不用意かつ必要以上に前方開放してしまうのを防止することができる。その結果、背面体とその前方に位置する第２枠体との不用意な干渉を防止することができる。背面体の前面側と第２枠体の後面側との干渉（衝突）を回避することができるので、背面体、第２枠体又はそれらに取り付けられている構造部品（例えば、映像表示装置や基板ケース等）の破損や汚れを防止することができる。
【００４０】
また、角度規制構造が、第１枠体と開放状態における背面体との為す角が所定角度未満となるのを困難とする機能を更に有していれば、例えば、その為す角を所定角度に停止保持することができ、背面体が不用意に閉鎖方向に移動することも防止できる。メンテナンス作業中の作業員の手を不用意に挟んでしまったりすることが有効に予防できる。
【００４１】
本発明の更なる目的又はその他の特徴は、以下添付図面を参照して説明される好ましい実施の形態によって明らかにされるであろう。
【発明の効果】
【００４２】
本発明によれば、第１枠体に背面体を設けることによって遊技機に対する不正遊技等を防止することができる。更に、第１枠体に対して背面体を前方に大きく開放させることができるので、遊技機の前面側から背面体の後方へのアクセスを容易とすることができ、遊技機が設置される島内部のメンテナンス性を向上させることが可能となる。
【００４３】
また、背面体の前面側に取り付けた基板ケースが、前面側から取外し不可能とされるので、基板ケースを不正に取り外す不正行為を有効に防止することができる。更に、基板ケースが背面体の後面側から取外し可能とされていれば、有効な不正防止効果とメンテナンス性向上とを両立させることができる。
【発明を実施するための最良の形態】
【００４４】
［実施の形態１］
以下、本発明の実施の形態１について図面を用いて説明する。図１は、本発明の実施の形態１に係る遊技機としてのパチンコ機２の外観を示す外観斜視図である。パチンコ機２は、筐体枠（第１枠体）３、機枠（第２枠体）４、背面板（背面体）５、遊技盤ユニット（遊技装置体）６、前面ガラス（前面透明板）７、装飾枠８、球発射ユニット（発射ユニット、図示せず。）、上皿９を有して概略構成されている。
【００４５】
パチンコ機２は、組合せ式パチンコ機、封入循環式パチンコ機等を含む。また、遊技機としてはパチンコ機の他に、遊技媒体としてコインを使用するパチンコ式スロットマシン機やスロットマシン、各種ゲーム機やアーケードマシン等が概念できる。
【００４６】
筐体枠３は、このパチンコ機２の周囲を囲むための枠体であり、平面視略長方形に構成されている。材料としては、木材が用いられることが多いが、他に樹脂やアルミ等の金属が用いられることもある。筐体枠３は、パチンコ機２の上下面及び左右側面を囲い、前面（すなわち、遊技者側。）から見て左側面側には機枠４及び装飾枠８を揺動支持するためのヒンジ部１１が設けられている。また、筐体枠の背面側（すなわち、パチンコ機２の裏面側、遊技機島側。）であって、前面（正面）から見て左側面側には背面板５を揺動支持するためのヒンジ部１２（図２、図４参照）が形成されている。
【００４７】
機枠４は、遊技盤ユニット６を保持するための枠体であり、その中央近傍に遊技盤ユニット６を取り付けるための取付け開口が形成されている。取付け開口の周囲に遊技盤ユニット６を着脱可能に取り付けるための取付け部を有し、機枠４は遊技盤ユニット６の周囲を囲むように構成されている。その機枠４は、筐体枠３の前面側に配置されてヒンジ部１１において筐体枠３に軸支され、図２に示すように、筐体枠３に対して前面開閉可能に揺動支持されている。機枠４は、樹脂又は金属によって形成され、その裏面側には裏機構盤（図示せず。）が配置される。その裏機構盤には、入賞球を計数して排出処理する入賞球処理装置（図示せず。）、景品球を計数して払い出す景品球払出し装置（図示せず。）等が配置されている。
【００４８】
背面板５は、筐体枠３の後方を略密閉し、パチンコ機２の背面を実質的に閉鎖する板状部材である。背面板５の設置により、パチンコ機２の背面側から行われ得る不正アクセスを効果的に防止することができるようになっている。
【００４９】
背面板５は、前面側が開放された箱体形状を呈しており、前面側内部には、画像制御基板１５、パチンコ機２全体の制御を行うための主基板（遊技制御基板）１６、電源基板１７等が収納されている。背面板５は、正面から見て左側前端部において、ヒンジ部１２によって筐体枠３に揺動支持されている。このヒンジ部１２を揺動軸として背面板５を回転移動させることによって、図３に示すように、背面板５を筐体枠３の開放開口３ａを案内して前面側へと回転させることが可能となっている。
【００５０】
図４は、筐体枠３に対して機枠４と筐体枠３とが揺動支持されたパチンコ機２の平面拡大図である。機枠４は、筐体枠３の前面側に設けられるヒンジ部１１の軸Ｇ１を揺動支持位置（側縁揺動支持位置）として、図２に示すように、前面開閉可能な構造となっている。ヒンジ部１１の軸Ｇ１は、図４に示すように、筐体枠３の左端部であって、筐体枠３の少し前方位置に配設され、機枠４の一側縁近傍に位置している。
【００５１】
一方で、背面板５は、筐体枠３の背面側に設けられるヒンジ部１２の軸Ｇ２を揺動支持位置（内側揺動支持位置）として、図３に示すように、前面開閉可能な構造となっている。ヒンジ部１２の軸Ｇ２は、図４に示すように、断面Γ状に形成されるヒンジ支持部１２ａの端部に形成されており、ヒンジ部１１の配設位置よりも筐体枠３の背面側であって、さらに、距離Ｌ１だけ筐体枠３の内側寄り（正面視で右側寄り、筐体枠の中央方向寄り。）の位置に配設されている。そして、この軸Ｇ２の配設位置は、背面板５の側縁近傍に相当している。
【００５２】
一般的なパチンコ機では、機枠のヒンジ部の軸が、筐体枠より前方か又は前後方向において筐体枠内に位置している。したがって、背面板５の軸Ｇ２が機枠４の軸Ｇ１の位置と一致又はそれより前方にあると、背面板５の前方開放の際にその回転軌跡が外方（すなわち、筐体枠３の幅方向外側であって正面視右側に向かう方向。）に膨らんでしまい、筐体枠３の内壁と干渉する虞がある。
【００５３】
しかしながら、本実施の形態１に示すパチンコ機２では、背面板５の軸Ｇ２の位置が機枠４の軸Ｇ１の位置よりも後方に配置されているため、換言すれば、背面板５の揺動支持位置が実質的に筐体枠３よりも後方に配置されているため、背面板５の反対側縁５ａの回転軌跡が背面板５の開放動作に伴って外方に大きく膨らむことがなく、結果として背面板５の左右寸法を大きくとってもその反対側縁５ａと筐体枠３の他側縁内壁３ｂとの干渉を容易に防止することができる（図５参照）。したがって、背面板５の左右方向寸法を大きくとって配置スペースの自由度を増大しつつ、背面板５の円滑な開閉を実現することができる。
【００５４】
さらに、背面板５の軸Ｇ２を、機枠４の軸Ｇ１よりもパチンコ機２の内側位置に配設することによって、機枠４及び背面板５の開放時に、背面板５を大きく開放することができ、その後方へのアクセス性を一層向上させることができる。
【００５５】
背面板５を開放する際には、事前に機枠４を開放しておく必要がある。その機枠４の開放時において、背面板５の軸Ｇ２の位置が機枠４の軸Ｇ１の位置よりも外側に配置されている場合には背面板５の開放角度を大きく取ることができない。しかし、本実施の形態１に示すパチンコ機２によれば、背面板５の軸Ｇ２の位置が機枠４の軸Ｇ１の位置よりも内側に配置されているので、外側に配置されている場合に比較して、機枠４の開放角度が同じ場合に背面板５の開放角度を大きく取ることができる。
【００５６】
図５は、筐体枠３に対して機枠４を前面側に全開させ、更に背面板５を前方に略９０度回転移動させた状態を示している。機枠４の軸Ｇ１に比べて背面板５の軸Ｇ２は距離Ｌ１だけ筐体枠３の内側に配設されており、この配設位置の違いによって背面板５の開放角度を従来よりも大きく取ることができる。
【００５７】
また、結果として、開放時における機枠４の背面側と背面板５の前面側との干渉の可能性を低減することができる。特に、機枠４の背面側には裏機構盤（図示せず。）等が配置され、背面板５の前面側には、主基板１６や電源基板１７等が設けられるため、これらの設置機器が接触して破損・故障等が生じることを防止でき、さらに、部品配置やその大きさの自由度を増大させることが可能となる。
【００５８】
さらに、背面板５は、背面板５を正面から見て左側前端部（背面体の前面側かつ側縁近傍。）において、ヒンジ部１２によって筐体枠３に揺動支持されているため、背面板５の左方には、図４に示すように、筐体枠３の左端部から距離Ｌ２の空間が確保されている。
【００５９】
パチンコ機２がパチンコホールに設置される場合、パチンコ機２が設置される遊技機島の設置用の柱部材が、隣接するパチンコ機２との間の位置１８に存在する場合がある（図４中の破線参照。）。しかしながら、本実施の形態１に示すパチンコ機２では、筐体枠３の左方に距離Ｌ２の空間が確保されるので、この位置１８に柱部材があってもこのパチンコ機２を問題なく設置することができる。
【００６０】
また、柱部材が位置１８ａ（図４中の２点鎖線参照。）に存在する場合もあるが、この実施の形態１においては、ヒンジ支持部１２ａが断面Γ状となっていて位置１８ａを回避している上に、背面板５のヒンジ部１２の軸Ｇ２が、背面板５の前面側に配置されているので、背面板を大きく略９０°に開放しても背面板５の一部がヒンジ支持部１２ａに干渉することがない。つまり、柱部材を位置１８に設置しても位置１８ａに設置しても、背面板５を充分に大きく前方開放することができるようになっている。
【００６１】
また、背面板５の軸Ｇ２の位置がその側縁近傍に配置されているので、背面板５の前方開放時に実質的に背面板５全体が前方へと回転移動し、その一部が後方へと回転移動することがない。したがって、背面板５の後方に遊技機島用の柱部材等が位置１８，１８ａにあっても、背面板５の開閉動作による干渉を生じることがない。
【００６２】
遊技盤ユニット６は、遊技盤２０、レール飾り２１、図柄表示装置２２を有してユニット構成されている。遊技盤２０の前面には、遊技媒体としての球２４の流下によって遊技を実現する遊技盤面２０ａが形成されている。遊技盤面２０ａには、略円形状に周囲を囲むようにレール飾り２１が取り付けられており、このレール飾り２１の内側面２１ａが遊技盤面２０ａに対して立設することにより遊技領域６ｂが画定されている。
【００６３】
遊技盤２０の遊技領域６ｂには、多数のゲージ（釘）２５、羽根車２６、入賞口２８、始動入賞口２９、大入賞口３０、アウト口３１、図柄表示装置２２等が配置されている。ここで、ゲージ２５とは、球２４の流下方向を変化させたり球２４を誘導するために、遊技領域６ｂ内に植設される釘のことをいう。また、連続的又は集合的に配置される一連の釘の配列をゲージという場合もある。
【００６４】
ゲージ２５や羽根車２６は、流下してきた球２４に衝突して球２４の流下方向を変化させるためのものである。入賞口２８は、球２４の入賞に基づいて所定個数の景品球を払い出すための入賞口である。なお、遊技領域６ｂには、払出し景品球数が入賞口２８の場合と異なる特定入賞口が配置される場合もある。また、球２４の入賞し易さを可変とするために、入賞開口を狭めたり広げたりする電動開閉羽根が設けられた電動入賞口が設けられる場合もある。始動入賞口２９は、入賞口２８の一種ではあるが、球２４の入賞に基づき図柄表示装置２２の図柄回転を開始させる機能を有している。
【００６５】
大入賞口３０は、開閉扉３０ａによって開閉可能な入賞口である。図柄表示装置２２が所定の態様、例えば「７・７・７」等の態様で停止表示した場合に、開閉扉３０ａが開放して多量の球２４が入賞する。そして、それに伴い多量の景品球が払い出されるようになっている。アウト口３１は、いずれの入賞口２８，２９，３０にも入賞せず、遊技領域６ｂの最下端まで流下した球を流入させてパチンコ機２の外部へと排出するためのもので、遊技領域６ｂの略最下端に配置されている。
【００６６】
図柄表示装置２２は、センター飾り２２ａと液晶表示装置（映像表示装置）２２ｂとを有している。センター飾り２２ａは、キャラクター等の造形が施された樹脂成形部品で構成されており、遊技領域６ｂ内における遊技を装飾的に演出するためのものである。液晶表示装置２２ｂは、センター飾り２２ａの中央部分に設けられており、センター飾り２２ａに設けられたキャラクター等によって液晶表示装置２２ｂの画面周囲が装飾的に囲まれた構造となっている。
【００６７】
液晶表示装置２２ｂは、３桁の数字を変動表示する表示図柄２２ｃとアニメキャラクターによるストーリー表示等の演出表示を行う演出映像２２ｄとを表示するためのものである。その表示図柄２２ｃの変動表示は、球２４の動作に基づいて行われる。すなわち、始動入賞口２９への球の入賞、又は遊技領域６ｂに形成された図示しない始動口や始動ゲートへの球の通過等に基づき、表示図柄２２ｃが変動表示されるようになっている。そして、３桁の数字が所定の態様（例えば、当たりに相当する「７・７・７」。）で停止すると、開閉扉３０ａが開放し、多量の球２４が大入賞口３０へと入賞するように構成されている。
【００６８】
図示しない球発射装置により球２４が遊技領域６ｂ内の上部に向けて発射されると、球２４がゲージ２５に衝突してその流下方向を変えつつ遊技領域６ｂ内を流下するようになっている。その流下の途中で、あるものは入賞口２８に入賞して景品球払出しの契機となり、あるものは始動入賞口２９に入賞して図柄表示装置２２による図柄変動遊技開始の契機となり、また、あるものはいずれの入賞口２８等にも入賞せずにアウト口３１からパチンコ機２の外部へと排出される。このように、遊技盤２０上を球２４が流下する際に、様々な遊技が実現されるようになっている。
【００６９】
なお、本実施の形態１においては、アウト口３１の直上に大入賞口３０が形成されているが、大入賞口３０の形成位置はこれに限定されず、遊技領域６ｂ内のいずれの箇所に形成されていてもよい。また、遊技領域６ｂ内に大入賞口３０を形成しなくともよい。
【００７０】
前面ガラス７は、遊技盤２０に対して一定距離以上離間して配置された透明板である。前面ガラス７は透明平板ガラスで形成され、遊技盤２０との間に球２４が流下する流下空間を形成する機能、遊技者が前面ガラス７を通して遊技盤２０を視認できるように視認性を確保する機能、遊技者が遊技盤２０に不正にアクセス（接触）できないように不正アクセスを防止する機能を発揮する。
【００７１】
前面透明板としてはガラス素材の前面ガラス７の他に、透明アクリル等の樹脂材料を使用するものであってもよい。また、本実施の形態１においては、前面ガラス７が装飾枠８に保持されるが、前面ガラス７が遊技盤２０の前面に取り付けられて、遊技盤２０と共に機枠４に保持されるように構成されていてもよい。
【００７２】
装飾枠８は、前面ガラス７又はその周囲を囲む装飾部材３６を保持するための枠体である。本実施の形態１において、装飾枠８は、前面ガラス７及び装飾部材３６の両方を保持している。その装飾枠８は、機枠４の前面側に配置されてヒンジ部１１において機枠４と共に筐体枠３に揺動支持され、機枠４に対して前面開閉可能な構造となっている。
【００７３】
装飾枠８は樹脂又は金属によって形成され、その中央部に遊技者が遊技盤２０を視認するための透視孔が形成されており、その透視孔を覆うように前面ガラス７が取り付けられている。その前面ガラス７の周囲には、パチンコ機２を装飾するための造形・色彩・ランプが付された装飾部材３６が取り付けられ、パチンコ機２の遊技演出に寄与している。
【００７４】
なお、本実施の形態１では、筐体枠３に設けられたヒンジ部１１に機枠４及び装飾枠８の両方が揺動支持される構成となっている。しかしながら、機枠４と装飾枠８とがそれぞれ異なるヒンジ部によって揺動支持されていてもよい。例えば、筐体枠３に機枠４を揺動支持するヒンジ部が設けられ、機枠４に装飾枠８を揺動支持する別のヒンジ部が設けられていてもよい。
【００７５】
図示しない球発射ユニットは、球供給装置によって上皿９から発射位置に送り込まれた球２４を遊技領域６ｂの上部に向けて発射（弾球）するためのものである。遊技者は発射ユニットを構成するハンドル１０を手で操作することによって、球発射装置による弾球強度を調整する。球発射装置は、例えば発射位置に送り出された球２４を遊技領域６ｂに向けて弾球する発射杆、その発射杆を駆動して弾球往復動を行わせる発射モータ、発射杆を付勢して弾球のための力を発生させる発射バネ等を有してユニット構成され、機枠４に取り付けられている。遊技者は、略円筒形状を呈するハンドル１０を手で保持しつつ、円筒周面に沿って強度調整杆１０ａを回転させることにより、球２４の発射強度を調整することが可能となっている。
【００７６】
上皿９は、球２４を球発射装置に導くべく貯留するためのもので、下皿９ａと共に遊技者の持ち球を貯留する機能を有する。上皿９は、パチンコ機２の前面であって遊技盤２０の下方、すなわち装飾枠８の下方部分に配置され、下皿９ａは、その上皿９の更に下方に配置されている。本実施の形態１においては、上皿９と下皿９ａとを別々に構成しているが、もちろん上皿９と下皿９ａとが一体となって１つの球皿が構成されていてもよい。
【００７７】
上皿９は、景品球としてパチンコ機２から払い出された球２４を受け取る機能や、その球２４を球供給装置（図示せず。）を介して球発射装置に導くべく貯留する機能を有している。遊技終了時には、遊技者が球排出ボタン９ｂを操作することにより、球２４を上皿９から下皿９ａへと排出することができるようになっている。
【００７８】
なお、本実施の形態１においては、遊技機としてのパチンコ機２について説明したが、もちろん上述のように、遊技機としてはパチスロ機やスロットマシン、各種ゲーム機やアーケードマシン等が概念できる。ここで、パチスロ機やスロットマシンの場合は、コインが遊技媒体に相当し、回胴体が遊技装置体に相当する。そしてその場合、遊技装置体は筐体枠（第１枠体）内に備えられ、その前面に第２枠体としての前面枠（上記実施の形態１における装飾枠に相当。）が開閉可能に揺動支持されることとなる。
【００７９】
［実施の形態２］
図６は、本発明の実施の形態２に係るパチンコ機５２を前方から斜視した外観斜視図であり、図７は、パチンコ機５２を後方から斜視した外観斜視図である。図６においては、パチンコ機５２内部の説明容易のため、装飾枠、前面ガラス、機枠、遊技盤ユニット等、筐体枠５３の前方に配置される構成部品の図示を省略しており、筐体枠５３及び背面板５５のみを斜め前方から斜視している。なお、本実施の形態２においても、上記実施の形態１と同様に、機枠が筐体枠５３に対して側縁揺動支持位置で揺動支持されており、背面板５５が筐体枠５３に対して内側揺動支持位置で揺動支持されている。そして、機枠及び背面板５５共に、筐体枠５３に対して前面開閉可能とされているが、これらの構成については実施の形態１と略同様であるので、説明を省略する。
【００８０】
背面板５５の前面５６には、液晶表示装置７０が取り付けられており、その下方には、基板ケース５７〜５９が取り付けられている。また、基板ケース５８の前面側には、基板ケース５８と前後に積層されるように基板ケース６０が取り付けられている。これらの各基板ケース５７〜６０の内部には、各々遊技制御基板としての主基板、液晶表示装置７０に遊技演出のための映像を表示させる画像制御基板、景品球払出しの制御を行う払出し制御基板、電源の制御及び管理を行う電源制御基板等が各々封印されている。なお、本実施の形態２においては、基板ケース５７についてのみ例示的に説明するが、もちろんこの実施の形態２において説明する発明の技術思想は他の基板ケース５８〜６０にも適用することができる。
【００８１】
図８は、基板ケース５７と背面板５５との取付け状態を説明するための分解斜視図であって、前方から斜視したものである。図９は、図８と同様の分解斜視図であって、後方から斜視したものである。なお、この図８及び図９においては、説明の容易のため、基板ケース５７及び背面板５５のみを図示している。
【００８２】
背面板５５には、係止孔（取付け部）５５ａと４つのガイド部５５ｂとが形成されている。係止孔５５ａは背面板５５の前面５６から後面５６ｂへと貫通する貫通孔であり、後述する基板ケース５７のフック部（被取付け部）６１が係合される孔である。係止孔５５ａは、前面５６に基板ケース５７が取り付けられた際に、基板ケース５７の取付け面５７ａによって覆われる位置に配置されており、その取付け状態においては、基板ケース５７に遮蔽されて前方から係止孔５５ａが見えないようになっている。また、基板ケース５７の取付け状態においては、取付け面５７ａと背面板５５の前面５６とが略密着状態となり、両面の隙間から異物が係止孔５５ａに到達できないようになっている。
【００８３】
ガイド部５５ｂは、前面５６前方に起立してＬ字状に屈曲した部分であり、本実施の形態２においては、背面板５５の一部を切り起こしてガイド部５５ｂを形成している。起立部分と屈曲部分とがガイドレールとして機能し、基板ケース５７の前面５６への取付けを補助するようになっている。４つのガイド部５５ｂは、略直方体形状とされた基板ケース５７の四角に対応する位置に形成され、これらも基板ケース５７が前面５６に取り付けられると取付け面５７ａによって遮蔽される位置に配置されている。
【００８４】
基板ケース５７の取付け面５７ａには、フック部６１と４つのガイド片６２とが配置されている。図１０に、図８にＡ−Ａで示す断面で切断した基板ケース５７の側方断面図を示す。フック部６１は、例えばプラスチック、金属等により形成されており、その基部６１ａが前後方向に弾性を有するように構成されている。本実施の形態２においては、フック部６１は別部品で構成され、基板ケース５７に取り付けられている。その基部６１ａの先端部分には、鉤状部６１ｂが形成されており、この鉤状部６１ｂが係止孔５５ａに係合することにより基板ケース５７が前面５６へ取り付けられるようになっている。鉤状部６１ｂの先端部分は、取付け面５７ａから突出するように配置されている。
【００８５】
ガイド片６２は、ガイド部５５ｂに各々対応する４箇所に配置された平板部分である。ガイド片の６２の周囲には凹部６２ａが形成されている。ガイド部５５ｂがこの凹部に６２ａに入り込み、ガイド部５５ｂが構成するガイドレール部分にガイド片６２が嵌入することにより、基板ケース５７と背面板５５との前後方向における取外しが規制される。
【００８６】
具体的には、基板ケース５７の取付け面５７ａを背面板５５の前面５６へ向けて、ガイド片６２がガイド部５５ｂよりも右側に位置するように基板ケース５７を前面５６へと当接させる。このとき、フック部６１も係止孔５５ａよりも右側に位置している。フック部６１の鉤状部６１ｂは、前面５６に当接して前面５６からの付勢力を受ける。その付勢力は、基部６１ａが有する弾性によって吸収されている。
【００８７】
そしてそのまま基板ケース５７を左方向へとスライドさせると、４箇所のガイド片６２が４箇所のガイド部５５ｂにガイドされながらガイドレール部分に嵌入する。そして、フック部６１が係止孔５５ａの位置に到達すると、前面からの付勢力が解放され、基部６１ａの弾性によって鉤状部６１ｂが係止孔５５ａに嵌入する。
【００８８】
図１０に示すように、鉤状部６１ｂは、その右側面６１ｃが傾斜の殆どない垂直面（すなわち、前後方向に延びる面）とされている。したがって、いったん鉤状部６１ｂが係止孔５５ａに嵌入すると、右側面６１ｃと係止孔５５ａの壁面とが当接して、基板ケースを右方向へとスライドさせることができなくなる。また、鉤状部６１ｂが係止孔５５ａに嵌入する位置において、基板ケース５７を左方向へとスライドさせることも、凹部６２ａの右壁面６２ｂとガイド部５５ｂとの干渉により不可能とされている。もちろん、基板ケース５７を手前（前方）へと取り外すこともガイド部５５ｂとガイド片６２との係合により不可能とされている。したがって、いったんフック部６１が係止孔５５ａに係合されると、基板ケース５７の背面板５５からの取外しは、少なくとも背面板５５の前面５６側からの操作に基づいてはできないようになっている。
【００８９】
一方、基板ケース５７の取付け状態においては、背面板５５の後面５６ｂ側には、鉤状部６１ｂの先端部分が係止孔５５ａから見えて触れるように（手で押し込み操作が可能に）なっている。したがって、背面板５５の後面５６ｂ側から鉤状部６１ｂの先端部分を押し込むと、基部６１ａの弾性に基づき鉤状部６１ｂと係止孔５５ａとの係合が簡単に解除される。この係合が解除されると、基板ケース５７を右側へとスライドさせることが可能となり、簡単に基板ケース５７を背面板５５から取り外すことができる。
【００９０】
上記のように、この基板ケース５７及び背面板５５によれば、背面板５５の前面５６側からの操作によって、工具を用いることなく簡単に基板ケース５７を前面５６に取り付けることが可能とされている。また、基板ケース５７の取付け部分が前面５６側から遮蔽されているので、いったん取り付けられた基板ケース５７を前面５６側からの操作で取り外すことが不可能とされている。基板ケース５７の取付け面５７ａと背面板５５の前面５６とが略密着しているので、その隙間に異物が挿入されることも防止されている。
【００９１】
一方、背面板５５の後面５６ｂ側からの操作によって、工具を用いることなく簡単に基板ケース５７を背面板５５から取り外すことが可能とされている。したがって、前面５６側からの不正アクセスによる基板ケース５７の不正な取外し行為を有効に防止すると共に、後面５６ｂ側からの簡単な操作による基板ケース５７の取外しを可能として、不正防止とメンテナンス性向上との両立を実現している。
【００９２】
以上、本発明の好ましい実施の形態を説明したが、本発明はこれらに限定されるものではなく、その要旨の範囲内で様々な変形や変更が可能である。
【００９３】
例えば、上記実施の形態２においては、係止孔５５ａ、ガイド部５５ｂ、フック部６１、ガイド片６２によって基板ケース５７の背面板５５への取付け構造を構成したが、もちろん、背面板５５の後面５６ｂ側からネジ等の締結手段により締結する取付け構造、その他の公知の固定手段により固定する取付け構造を採用してもよい。この場合において、締結手段等が、たとえその一部であっても前面５６側から視認できないように遮蔽されていることが望ましい。
【００９４】
例えば、締結手段としてのネジを採用する場合、ネジ頭が後面５６ｂ側に位置するので、ネジ軸部分が前面５６側から視認できたとしても基板ケース５７を容易に取り外すことはできない。しかし、ネジ軸部分も視認不可能とすることにより、不正行為者に取付け構造やその位置さえ把握させないようにすることができ、一層の不正防止効果を得ることができる。
【００９５】
［変形例］
なお、上記実施の形態２に係るパチンコ機５２が、背面板５５の前方開放角度を規制する角度規制構造７６（図１１参照）を有していることは更に望ましい。この角度規制構造７６は、筐体枠５３に対して背面板５が前方へ開放する際の開放角度が、所定角度より大きくなるのを防止又は困難とする構造である。背面板５５と筐体枠５３との連結部分である軸Ｇ２近傍にこの角度規制構造７６を採用することにより、背面板５５が不用意に前方へ開放してしまうことを防止することができる。
【００９６】
この角度規制構造７６の概略構成について、図１１を用いて説明する。図１１は、本発明の変形例に係るパチンコ機５２が備える角度規制構造７６を説明するための構造図である。角度規制構造７６は、例えば、背面板５５の上下の揺動支持軸Ｇ２のうち下側の軸Ｇ２近傍に配置されている。揺動プレート７７は背面板５５に固定されており、背面板５５と共に揺動回転移動を行う。その揺動プレート７７には、嵌合孔７７ａが形成されており、軸Ｇ２が嵌合するようになっている。
【００９７】
揺動プレート７７には、規制部７１が配置されている。この規制部７１の詳細は図示しないが、規制手段としてのボールと付勢手段としてのバネとを有し、バネでボールを下方に付勢する構造を有している。ボールは、揺動プレート７７から下方に突出しており、バネ力によって固定プレート７８に当接しつつ下方に付勢されるようになっている。
【００９８】
固定プレート７８は筐体枠５３側に固定されている。固定プレート７８の上面を揺動プレート７７が摺動しつつ背面板５５が揺動回転するように配置されている。固定プレート７８には、軸Ｇ２が上方に突出するように固定され、そこから半径方向に離れた位置に２つの係合穴７２，７２ｂが形成されている。これらの係合穴７２，７２ｂは略円形状とされ、ボールの一部が嵌り込む形状とされている。
【００９９】
この係合穴７２は、背面板５５が前方へ所定角度回転するとボールが嵌合する位置に形成されており、係合穴７２ｂは、更に背面板５５が開放してその開放角度が略９０°となったときにボールが嵌合する位置に形成されている。したがって、軸Ｇ２中心から係合穴７２，７２ｂ中心までの半径と、嵌合孔７７ａ中心からボール中心までの半径とは略一致している。
【０１００】
背面板５５を前方に開放し、その開放角度が所定角度となると、固定プレート７８上を摺動していたボールが係合穴７２に嵌合する。ボールはバネにより下方に付勢されているので、ボールが係合穴７２を乗り越えるためには相応の力が必要となる。したがって、背面板５５は、所定角度の開放位置で停止保持され、それ以上の開放や閉鎖方向への移動が困難とされる。
【０１０１】
本発明に係る基板ケース５７を背面板５５から取り外す等のメンテナンスを行っている際には、背面板５５と筐体枠５３とのロックを解除して、背面板５５をある程度前方に開放した状態でメンテナンスを行う必要がある。しかしながら、このパチンコ機５２が角度規制構造７６を有しており、背面板５５が所定の開放角度で停止保持されるので、背面板５５の不用意な前後回転移動が防止される。背面板５５の前面５６側に取り付けられた液晶表示装置７０や基板ケース５７〜６０が機枠に不用意に衝突して破損したりすることが予防され、また、背面板５５が不用意に閉鎖して作業員の手が挟まれたりすることも防止される。
【０１０２】
なお、所定角度で停止保持されている背面板５５に、一層強い力を開放方向に加えれば、ボールが係合穴７２を乗り越えて、背面板５５を更に開放させることもできる。そして、背面板５５が略９０°に開放すると、その位置でボールは係合穴７２ｂに嵌合し、再び停止保持されるようになっている。
【図面の簡単な説明】
【０１０３】
【図１】本発明の実施の形態１に係るパチンコ機を示した外観斜視図である。
【図２】本発明の実施の形態１に係るパチンコ機において、機枠が筐体枠に対して前方開放した状態を示した外観斜視図である。
【図３】本発明の実施の形態１に係るパチンコ機において、背面板が筐体枠に対して全面開放した状態を示した外観斜視図である。
【図４】本発明の実施の形態１に係るパチンコ機の筐体枠における、機枠の軸Ｇ１の位置と背面板の軸Ｇ２の位置との関係を示した平面拡大図である。
【図５】本発明の実施の形態１に係るパチンコ機において機枠及び背面板が開放した状態を示した平面図である。
【図６】本発明の実施の形態２に係るパチンコ機の一部構造部品を省略した前方斜視図である。
【図７】図６に示すパチンコ機の後方斜視図である。
【図８】図６に示すパチンコ機が備える基板ケースと背面板との取付け状態を説明するための分解斜視図であって前方から斜視した図である。
【図９】図６に示すパチンコ機が備える基板ケースと背面板との取付け状態を説明するための分解斜視図であって後方から斜視した図である。
【図１０】図８に示すＡ−Ａ断面で切断した基板ケースの側方断面図である。
【図１１】本発明の変形例に係るパチンコ機が備える角度規制構造を説明するための構造図である。
【符号の説明】
【０１０４】
Ｇ１：側縁揺動支持位置の軸
Ｇ２：内側揺動支持位置の軸
Ｌ１，Ｌ２：距離
２，５２：パチンコ機（遊技機）
３，５３：筐体枠（第１枠体）
３ａ：開放開口
３ｂ：他側縁内壁
４：機枠（第２枠体）
５，５５：背面板（背面体）
５ａ：反対側縁
６：遊技盤ユニット（遊技装置体）
６ｂ：遊技領域
７：前面ガラス（前面透明板）
８：装飾枠
９：上皿
９ａ：下皿
９ｂ：球排出ボタン
１０：ハンドル
１０ａ：強度調整杆
１１，１２：ヒンジ部
１２ａ：ヒンジ支持部
１５：画像制御基板
１６：主基板（遊技制御基板）
１７：電源基板
１８，１８ａ：位置
２０：遊技盤
２０ａ：遊技盤面
２１：レール飾り
２１ａ：内側面
２２：図柄表示装置
２２ａ：センター飾り
２２ｂ，７０：液晶表示装置（映像表示装置）
２２ｃ：表示図柄
２２ｄ：演出映像
２４：球（遊技媒体）
２５：ゲージ（釘）
２６：羽根車
２８：入賞口
２９：始動入賞口
３０：大入賞口
３０ａ：開閉扉
３１：アウト口
３６：装飾部材
５５ａ：係止孔（取付け部）
５５ｂ：ガイド部
５６：前面
５６ｂ：後面
５７〜６０：基板ケース
５７ａ：取付け面
６１フック部（被取付け部）
６１ａ：基部
６１ｂ：鉤状部
６１ｃ：右側面
６２：ガイド片
６２ａ：凹部
６２ｂ：右壁面
７１：規制部
７２，７２ｂ：係合穴
７６：角度規制構造
７７：揺動プレート
７７ａ：嵌合孔
７８：固定プレート
【図１】
2010082251.tif 000003
【図２】
2010082251.tif 000004
【図３】
2010082251.tif 000005
【図４】
2010082251.tif 000006
【図５】
2010082251.tif 000007
【図６】
2010082251.tif 000008
【図７】
2010082251.tif 000009
【図８】
2010082251.tif 000010
【図９】
2010082251.tif 000011
【図１０】
2010082251.tif 000012
【図１１】
2010082251.tif 000013